(57)【要約】 【課題】水槽に物品を付設するための水槽用物品付設具であって、物品を水槽に簡易に、安定的に付設することができ、構造簡単で安価に済む水槽用物品付設具を提供する。【解決手段】水槽９に付設すべき物品１０を支持する物品支持部７と、物品支持部７に設けられ、水槽上端縁部（例えば水槽上枠９１）に対し係合脱離可能の係合部３１と、物品支持部７に設けられ、水槽側壁９２の外面に吸着可能の吸盤６とを有し、係合部３１は、水槽上端縁部に上方から着座可能の着座部を兼ねるガイド部材３１１と、水槽上端縁部に水槽内側から当接可能の当接位置又は該当接位置から後退した後退位置をとることができる当接部材３１２と、当接部材３１２を当接位置に維持可能の当接位置維持部３１３とを含んでいる水槽用物品付設具Ｓ３。【選択図】  図６
2006254703.tif 000002
【特許請求の範囲】
【請求項１】
水槽に付設すべき物品を支持する物品支持部と、前記物品支持部に設けられ、水槽上端縁部に対し係合脱離可能の係合部と、前記物品支持部に設けられ、水槽側壁の外面に吸着可能の吸盤とを有し、前記係合部は、前記水槽上端縁部に上方から着座可能の着座部と、前記水槽上端縁部に水槽内側から当接可能の当接位置又は該当接位置から後退した後退位置をとることができる当接部材と、該当接部材を前記当接位置に維持可能の当接位置維持部とを含んでいることを特徴とする水槽用物品付設具。
【請求項２】
前記物品支持部は、水槽に付設すべき物品と一体的に形成されている請求項１記載の水槽用物品付設具。
【請求項３】
前記物品支持部は、水槽に付設すべき物品を該物品支持部に着脱可能とする物品保持部を有している請求項１記載の水槽用物品付設具。
【請求項４】
前記係合部の当接部材は、前記物品支持部に、前記当接位置から前記後退位置へ、該後退位置から該当接位置へ往復動可能に設けられており、前記係合部の当接位置維持部は、該物品支持部に設けたられた複数段の爪係合と、該往復動可能の当接部材に設けられ、該爪係合部に対し係合脱離可能の爪部とを含んでいる請求項１、２又は３記載の水槽用物品付設具。
【発明の詳細な説明】
【技術分野】
【０００１】
本発明は、魚等の動物の飼育や観賞、植物の育成や観賞等に用いることができる水槽に物品を付設するための水槽用物品付設具に関する。
【背景技術】
【０００２】
魚等の動物の飼育や観賞、植物の育成や観賞等に用いることができる水槽には物品が後付けで付設されることがある。
観賞魚用水槽を例にとると、水槽内の水を浄化するの浄化装置、水中へ気泡を供給するエアポンプ、水温調整のための水温調節器、水温調整のために水面に空気を吹きつける送風機、照明器具等が付設されることがある。また、植物用水槽の場合も、水浄化装置、水温調節器等が付設されることがある。
【０００３】
このような物品は、例えば、実公平３−１７６５５号公報、特許第３４７６１５５号公報に記載されているように、水槽の上枠に載置して付設されることもあるが、例えば、特開２００３−２３６４８４号公報に記載されているように、物品に設けた吸盤を水槽側壁（合成樹脂製の場合もあるが、代表的にはガラス製の側壁）に吸着させることで付設することもある。また、例えば、特開２００３−４７３６７号公報に記載されているように、物品に一体的に設けたフック部を水槽上枠に引っ掛け係合させることで付設することもある。
【０００４】
【特許文献１】実公平３−１７６５５号公報
【特許文献２】特許第３４７６１５５号公報
【特許文献３】特開２００３−２３６４８４号公報
【特許文献４】特開２００３−４７３６７号公報
【発明の開示】
【発明が解決しようとする課題】
【０００５】
しかしながら、物品を水槽上枠に載置する場合、物品が重いものであれば、比較的安定的に載置状態が維持されるが、物品が軽いものであれば、ユーザの手が触れる等による外力で物品が水槽上枠から外れやすく、物品付設安定性の点で十分とは言えない。
【０００６】
物品を吸盤で水槽側壁に吸着保持させる場合には、水槽側壁に吸着させた吸盤が吸着開始からの時間の経過とともに次第に吸着力が弱まって該側壁から脱落するおそれがあり、また、物品を介して或いは直接的に吸盤に外力が加わると、吸盤が変形するなどして、吸盤が水槽側壁から脱落してしまうこともあり、吸盤のみによる物品支持は支持安定性の点で十分とは言えない。
【０００７】
物品に一体的に設けたフック部を水槽上枠に引っ掛け係合させる場合、物品が軽量物等である場合は支持が不安定になったり、外力で物品が傾いたりするなどし、これも物品支持安定性の点で十分とは言えない。
【０００８】
そこで本発明は、水槽に物品を付設するための水槽用物品付設具であって、物品を水槽に簡易に、安定的に付設することができ、構造簡単で安価に済む水槽用物品付設具を提供することを課題とする。
【課題を解決するための手段】
【０００９】
前記課題を解決するため本発明は、水槽に付設すべき物品を支持する物品支持部と、前記物品支持部に設けられ、水槽上端縁部に対し係合脱離可能の係合部と、前記物品支持部に設けられ、水槽側壁の外面に吸着可能の吸盤とを有し、前記係合部は、前記水槽上端縁部に上方から着座可能の着座部と、前記水槽上端縁部に水槽内側から当接可能の当接位置又は該当接位置から後退した後退位置をとることができる当接部材と、該当接部材を前記当接位置に維持可能の当接位置維持部とを含んでいる水槽用物品付設具を提供する。
【００１０】
本発明に係る水槽用物品付設具によると、水槽に付設すべき物品を物品支持部に支持させ、係合部における当接部材を後退位置において着座部を水槽上端縁部に上方から着座させるとともに吸盤を水槽側壁の外面に吸着させ、さらに、係合部における当接部材を水槽上端縁部に水槽内側から当接させ、その当接位置を当接位置維持部に維持させることで、物品を簡易に水槽に付設することができる。
【００１１】
このように物品が水槽に付設された状態では、係合部の着座部が水槽上端縁部に着座しているとともに当接部材が水槽内側から水槽上端縁部に当接し、吸盤が水槽側壁の外面に吸着している。このように、物品は係合部と吸盤とにより水槽に安定的に付設される。物品自体に、或いは物品付設具の一部等に、水槽ユーザの手等が軽く触れる等して外力が加わっても、物品姿勢は狂い難く、水槽から脱落し難い。
【００１２】
また、本発明に係る水槽用物品付設具は、その構造が簡単に済み、それだけ安価に提供できる。
なお、本発明に係る水槽用物品付設具は、係合部における当接部材を水槽上端縁部から後退させ、吸盤を水槽側壁から取り外すことで、簡単に水槽から外すこともできる。
【００１３】
前記物品支持部は、水槽に付設すべき物品に接続されていたり、該物品と一体的に形成されているなどして、該物品と一体的なものであってもよく、水槽に付設すべき物品を該物品支持部に着脱可能とする物品保持部を有していてもよい。かかる物品保持部を採用すれば、例えば、物品が故障した場合でも、水槽用物品付設具を交換することなく、該物品を正常なものと交換することができる。物品保持部によっては、既に保持されている物品を他の物品と交換取付けすることも可能である。
【００１４】
物品保持部を有する物品支持部を採用する場合、該物品保持部は、一種の物品を保持できるだけでなく、複数種類の物品を保持できるものでもよい。例えば、外径の点で異なる複数種類のパイプやホースを保持できるものでもよい。また、物品保持部は、１個の物品だけでなく、２個以上の物品を保持できるものでもよい。
【００１５】
なお、物品支持部が物品と一体的に形成されている場合も、該物品の種類は２種以上であってもよく、物品個数は２個以上でもよい。
【００１６】
前記係合部は様々に形成できるが、構造が簡単なものの例として、次の係合部を挙げることができる。すなわち、係合部の当接部材は、物品支持部に、前記当接位置から前記後退位置へ、該後退位置から該当接位置へ往復動可能に設けられており、係合部の当接位置維持部は、該物品支持部に設けたられた複数段の爪係合部と、該往復動可能の当接部材に設けられ、該爪係合部に対し係合脱離可能の爪部とを含んでいる係合部である。
【００１７】
この係合部の場合、当接部材は物品支持部に直接設けられていても、他の部材或いは部分（例えば前記着座部）を介して設けられていてもよい。当接位置維持部を構成する前記複数段の爪係合部についても、物品支持部に直接設けられていても、他の部材或いは部分（例えば前記着座部）を介して設けられていてもよい。
【００１８】
着座部についても、物品支持部に直接設けられていてもよいし、他の部材、部分等を介して物品支持部に設けられていてもよい。
【発明の効果】
【００１９】
このように本発明によると、水槽に物品を付設するための水槽用物品付設具であって、物品を水槽に簡易に、安定的に付設することができ、構造簡単で安価に済む水槽用物品付設具を提供することができる。
【発明を実施するための最良の形態】
【００２０】
以下、本発明の実施の形態を説明する。
図１は本発明に係る水槽用物品付設具の１例Ｓ１を、物品Ａを水槽９に付設している状態で示している。図２は図１に示す物品Ａを図１において右側から見た図である。
【００２１】
この付設具Ｓ１によって水槽に付設されている物品Ａは水槽水温調整用送風装置Ａであり、付設具Ｓ１の構成要素である物品支持部は、送風装置Ａと一体的に形成されており、送風装置Ａの一部である後述する送風機支持部２の一部或いは全部を兼ねている。
【００２２】
送風装置Ａは、吸気口１１及び排気口１２を有する送風機１及びこの送風機１を支持する送風機支持部２を含んでいる。
【００２３】
送風機支持部２は、送風機１を内部に収容保持したケース形態の送風機保持部分２１及びこれに接続された送風ダクト２２を含んでいる。送風機保持部分２１には外気吸引口２１１が形成されており、この外気吸引口２１１は、送風機保持部分２１内に形成された吸気路により送風機１の吸気口１１に連通している。
【００２４】
送風ダクト２２は、下端開口２２ａ（送風ダクト２２全体からみた一端開口）部分から立ち上がる立ち上がり部分２２１及び該立ち上がり部分から、送風機１とは反対側へ略９０度曲がって横方向に延びる横方向部分２２２を有している。立ち上がり部分２２１の下端開口２２ａは、送風機１の排気口１２に臨んでいる。横方向部分２２２は、先端部分が水槽９内の水面ＷＦへ向け下方へ傾斜している。横方向部分２２２の先端開口（送風ダクト２２全体からみた他端開口）は送風口２２ｂとして用いられる。
【００２５】
物品付設具Ｓ１における物品支持部の一部或いは全部を兼ねている送風機支持部２には、水槽上端縁部（ここでは水槽９の上枠９１）に対して係合脱離可能の係合部３１と、水槽９の側壁（ここではガラス板）の外面に吸着可能の吸盤３２とが設けられている。係合部３１及び吸盤３２は物品Ａを水槽９に付設する付設部３を構成している。
【００２６】
吸盤３２は、送風機支持部２のケース形態の送風機保持部分２１の水槽９に向けられる側の面に設けられている。吸盤３２は、それ自体知られているもので、柔軟性を有する傘形部分を平坦面に押しつけて内部空気を排除することで、該平坦面に吸着させることができるものである。
【００２７】
図３（Ａ）は、図１に示す送風装置Ａの送風ダクト横方向部分２２２と、それに設けられた係合部３１を示すための、図１のＸ−Ｘ線に沿う断面図である。図３（Ｂ）は該係合部３１における当接部材３１２の平面図である。
【００２８】
図１及び図３（Ａ）に示すように、係合部３１は、送風ダクト横方向部分２２２の下面に設けられた一対のガイド部材３１１と、これに案内される当接部材３１２とを含んでいる。ガイド部材３１１は、送風ダクト横方向部分２２２と同方向に延在している。ガイド部材３１１は、後述するように、水槽９の上枠９１に上方から着座する着座部を兼ねている。
【００２９】
当接部材３１２は、送風ダクト立ち上がり部分２２１と平行に上下方向に延びる板状の当接部材本体３１２ａと、該本体の上端に一体的に連設されて該本体に対し略９０度の方向に延びる板状のスライド部３１２ｂとからなっている。
【００３０】
スライド部３１２ｂは、図３（Ａ）に示すように、その両耳部３１２ｂ’が前記の一対のガイド部材３１１に摺動可能に嵌合しており、これにより当接部材３１２は、その全体が送風ダクト立ち上がり部分２２１へ接近する方向、該立ち上がり部分２２１から遠ざかる方向に往復動可能である。
【００３１】
係合部３１は、また、当接部材３１２をその現状位置に維持する維持部３１３を含んでいる。維持部３１３は、前記一対のガイド部材３１１の間において、送風ダクト横方向部分２２２の下面に形成した、複数段の爪係合部３１３ａと、当接部材３１２のスライド部３１２ｂに設けた爪部３１３ｂとを含んでいる。爪部３１３ｂは、図３（Ｂ）に示すように、スライド部３１２ｂを門形に切って形成した、片持ち支持型の可撓性舌片３１３ｃの自由端に形成してある。
【００３２】
当接部材３１２をガイド部材３１１に沿って摺動させると、当接部材３１２のスライド部３１２ｂにおける舌片３１３ｃが上下に撓みながら、該舌片上の爪部３１３ｂと送風ダクト側の爪係合部３１３ａとが係合脱離を繰り返すので、当接部材３１２をガイド部材３１１に沿って往復動させることができる。一方、当接部材３１２を動かすことを止めると、その位置で、爪部３１３ｂと丁度そのとき該爪部３１３ｂに係合している爪係合部３１３ａとにより、当接部材３１２をその位置に維持できる。
【００３３】
後述するように、当接部材３１２を水槽９の上枠９１に水槽内側から当接するように移動させて、その当接位置に維持させることもできる。すなわち、当接部材３１２をその現状位置に維持する、この維持部３１３は、当接部材３１２を水槽９の上端縁部（ここでは水槽上枠９１）に水槽内側から当接させて維持する当接位置維持部として機能する。
【００３４】
以上説明した物品付設具Ｓ１によると、図１に示すように、係合部３１における当接部材３１２を送風ダクト立ち上がり部２２１からある程度遠ざけた位置におき、該係合部３１における、着座部を兼ねる一対のガイド部材３１１を水槽上枠９１に上方から着座させ、吸盤３２を水槽側壁（ここではガラス板）９２の外面に吸着させるとともに、係合部３１の当接部材３１２をガイド部材３１１に沿って送風ダクト立ち上がり部２２１の方へ摺動させ、水槽上枠９１に水槽内側から当接させ、その当接位置を前記の当接位置維持部３１３に維持させることで、送風装置Ａを水槽９に簡単に付設することができる。
【００３５】
このように、送風装置Ａを水槽９に付設した状態では、送風装置Ａの送風機保持部分２１に形成された外気吸引口２１１は、水槽９の外側に位置し、且つ、水槽上端開口面より下方に位置して水槽とは反対側に向いている。一方、送風ダクト２２の送風口２２ｂは槽内水面ＷＦに向いている。
【００３６】
従って、送風機１を運転することで、外気吸引口２１１から送風機吸気口１１へ水槽周囲の外気を吸引し、送風機排気口１２から排気して、送風ダクト２２により送風し、送風口２２ｂから槽内水面ＷＦへ向け送風、吹きつけすることができ、これにより、槽内水温を調整することができる。
【００３７】
以上説明した物品付設具Ｓ１によると、送風装置Ａを水槽９に付設した状態では、係合部３１の着座部（ガイド部材３１１）が水槽上枠９１に着座しているとともに当接部材３１２が水槽内側から水槽上枠９１に当接し、吸盤３２が水槽側壁９２の外面に吸着している。かくして送風装置Ａは、係合部３１と吸盤３２とにより水槽９に安定的に付設されている。送風装置Ａに、或いは付設具Ｓ１の一部等に、水槽ユーザの手等が軽く触れる等して外力が加わっても、送風装置Ａの姿勢は狂い難く、水槽９から脱落し難い。
また、物品付設具Ｓ１は、その構造が簡単に済み、それだけ安価に提供できる。
【００３８】
なお、送風装置Ａを係合部３１と吸盤３２とで水槽９に付設した状態では、外気吸引口２１１が水槽９の外側に位置し、且つ、上端開口面より下方に位置するので、槽内水面ＷＦから上昇してくる蒸気が直接的に送風装置Ａに吸い込まれることが抑制され、水槽周囲の外気が送風装置に吸い込まれる。
従って、、水面ＷＦへの送風量が従来タイプの送風装置と同じ、或いはほぼ同じであるような場合でも、該送風により効率よく槽内水温を調整できる。
【００３９】
係合部３１における当接部材３１２を水槽上枠９１から後退させ、吸盤３２を水槽側壁９２から取り外すことで、物品付設具Ｓ１を、従って、ここでは送風装置Ａも、簡単に水槽から外すことができる。
【００４０】
本発明は、以上説明した物品付設具Ｓ１に限定されるものではない。例えば、水槽上端縁部への係合部における当接部材３１２のための当接位置維持部として、前記維持部３１３のように爪係合部３１３ａとこれに係合脱離可能の、可撓性舌片３１３ｃ上の爪部３１３ｂとを含む構成のものに代えて、図４に例示する係合部３１’におけるように、送風ダクト横方向部分２２２の下面に立設したボルト３１３ｄを当接部材３１２のスライド部３１２ｂに形成した長孔３１３ｅに貫通させ、貫通したボルト部分に、スライド部３１２ｂの下側から止めナット３１３ｆを螺合させた構成の維持部３１３’も採用できる。
【００４１】
図５は本発明に係る物品付設具の他の例Ｓ２を示している。
図５に示す水槽用物品付設具Ｓ２は、板状の物品支持部４と、物品支持部４に連設した係合部５及び物品支持部４に設けた吸盤６を含んでいる。
【００４２】
物品支持部４は物品保持部４１を有している。物品保持部４１は、拡開させてパイプ或いはホース等を保持させ得る小及び大の物品把持部４１１、４１２を基板部４１０上に形成したもので、該基板部４１０の部分で支持部本体に接続支持されている。
【００４３】
係合部５は、物品支持部４の上端から、略直角に、前記の物品保持部４１とは反対側へ延びる、板状の着座部５１と、当接部材５２と、当接位置維持部５３とを含んでいる。当接部材５２は直角に屈曲された板状体から形成されており、物品支持部４と平行な当接部材本体５２１と、着座部５１の下面に沿って摺動するスライド部５２２からなっている。      
【００４４】
当接位置維持部５３は、スライド部５２２の上面に立設されて着座部５１に設けた長孔５３３を貫通するボルト５３１と、該ボルトの貫通突出部分に、着座部５１の上面側から螺合する止めナット５３２とからなっている。
【００４５】
この付設具Ｓ２は、当接部材５２を物品支持部４から若干遠ざけた状態で着座部５１を水槽上枠９１に上方から着座させ、吸盤６を水槽側壁９２の外面に吸着させ、さらに、当接部材５２を水槽上枠９１の方へスライドさせて水槽内側から上枠９２に当接させ、そこで止めナット５３２を緊締して、当接部材５２の位置を維持させることで、水槽９に付設できる。そして、物品支持部４における物品保持部４１の把持部４１１、４１２に、例えば外径の異なる水槽水浄化用のパイプ或いはホース等を支持させ、それにより該パイプ或いはホース等を水槽９に簡単に、安定的に付設することができる。止めナット５３２を緩めて当接部材５２を後退させるとともに吸盤６を水槽側壁から取り外すことで、付設具Ｓ１を水槽９から取り外すことができる。
【００４６】
図６は本発明に係る物品付設具の他の例Ｓ３を示している。
図６に示す水槽用物品付設具Ｓ３は、側面からみて倒立Ｌ字形状の板状の物品支持部７と、物品支持部７に設けた係合部３１及び物品支持部４に設けた吸盤６を含んでいる。
【００４７】
物品支持部７は物品保持部８を有している。物品保持部８は、物品支持部７の縦方向部分７１の下端部に接続した受け棚部８１と、該縦方向部分７１の中程に設けた物品保持バンド８２とからなっている。
【００４８】
係合部３１は、図１に示す付設具Ｓ１における係合部３１と実質上同構造のものであり、物品支持部８の横方向部分７２の下面に設けた一対のガイド部材３１１、これに沿って摺動可能の当接部材３１２、及び当接部材３１２の位置を維持する維持部３１３とからなっている。
【００４９】
この付設具Ｓ３は、当接部材３１２を物品支持部４の縦方向部分７１から若干遠ざけた状態で着座部を兼ねるガイド部材３１１を水槽上枠９１に上方から着座させ、吸盤６を水槽側壁９２の外面に吸着させ、さらに、当接部材３１２を水槽上枠９１の方へスライドさせて水槽内側から上枠９２に当接させ、当接位置維持部３１３にてその位置を維持させることで、水槽９に付設できる。そして、物品支持部４における物品保持部８の棚部８１に水槽に付設すべき物品１０を載置するとともにバンド８２で該物品１０を支持部７に保持することで、物品１０を水槽９に付設できる。
【産業上の利用可能性】
【００５０】
本発明は、魚等の動物の飼育や観賞、植物の育成や観賞等に用いることができる水槽に付設すべき物品を簡単に、安定的に付設することに利用できる。
【図面の簡単な説明】
【００５１】
【図１】本発明に係る水槽用物品付設具の１例を、物品を水槽に付設している状態で示す図である。
【図２】図１に示す付設具で水槽に付設された物品（送風装置）を図１において右側から見た図である。
【図３】図３（Ａ）は、図１に示す送風装置の送風ダクト横方向部分とそれに設けられた係合部を示すための、図１のＸ−Ｘ線に沿う断面図であり、図３（Ｂ）は該係合部における当接部材の平面図である。
【図４】係合部における当接位置維持部の他の例を示す図である。
【図５】本発明に係る水槽用物品付設具の他の例の斜視図である。
【図６】本発明に係る水槽用物品付設具のさらに他の例を、水槽に取り付けた状態で示す図である。
【符号の説明】
【００５２】
Ｓ１  水槽用物品付設具
Ａ  水槽水温調整用送風装置
１  送風機
１１  吸気口
１２  排気口
２  付設具Ｓ１の物品支持部の一部或いは全部を兼ねる送風機支持部
２１  送風機保持部分
２１１  外気吸引口
２２  送風ダクト
２２１  送風ダクト立ち上がり部分
２２２  送風ダクト横方向部分
２２ａ  立ち上がり部分２２１の下端開口（ダクトの一端開口）
２２ｂ  横方向部分２２２の先端開口（送風口）（ダクトの他端開口）
３  付設部
３１  係合部
３１１  着座部を兼ねるガイド部材
３１２  当接部材
３１２ａ  当接部材本体
３１２ｂ  スライド部
３１２ｂ’  スライド部の耳部
３１３  当接位置維持部
３１３ａ  爪係合部
３１３ｂ  爪部
３１３ｃ  可撓性舌片
３２  吸盤
３１’    係合部
３１３’  当接位置維持部
３１３ｄ  ボルト
３１３ｅ  長孔
３１３ｆ  止めナット
Ｓ２  水槽用物品付設具
４  物品支持部
４１  物品保持部
４１０  基板部
４１１、４１２  物品把持部
５  係合部
５１  着座部
５２  当接部材
５２１  当接部材本体
５２２  スライド部
５３  当接位置維持部
５３１  ボルト
５３２  止めナット
５３３  長孔
６  吸盤
Ｓ３  水槽用物品付設具
７  物品支持部
７１  縦方向部分
７２  横方向部分
８  物品保持部
８１  棚部
８２  物品保持バンド
９  水槽
９１  水槽上枠
９２  水槽側壁
ＷＦ  槽内水面
【図１】
2006254703.tif 000003
【図２】
2006254703.tif 000004
【図３】
2006254703.tif 000005
【図４】
2006254703.tif 000006
【図５】
2006254703.tif 000007
【図６】
2006254703.tif 000008